(57)【特許請求の範囲】
【請求項１】
基台上に支持されて被篩物を収納する篩体と、
前記篩体に対する振動付与、振動解除の操作を行う振動付与操作部と、
前記基台により支持されるとともに、前記振動付与操作部の操作に連動して下降又は上昇して前記篩体に接触又は離脱し、下降位置での前記篩体との接触状態において篩体に断続的な振動力を付与する振動付与機構部と、
を具備し、
前記篩体と振動付与機構部とを一体的に固定せずに、篩体と振動付与機構部とを所定の圧力で接触させるようにした構成であるので、当該振動付与機構部でもって断続的に細かくたたくような振動を篩体に与えることができることから、被篩物を効率良くふるうことができるようにしたことを特徴とする振動篩装置。
【請求項２】
前記振動付与機構部は、前記基台に対して上下動可能に支持され、その自重により前記下降位置において前記被篩物を収納する篩体に接触圧を付与することを特徴とする請求項１記載の振動篩装置。
【請求項３】
前記振動付与機構部は、前記被篩物を収納する篩体に接触させる振動体と、この振動体を振動させる電源内蔵型の振動駆動源と、振動体と篩体との接触による騒音を防止する弾性体とを備えていることを特徴とする請求項１又は２記載の振動篩装置。
【請求項４】
前記被篩物は、生コンクリートであることを特徴とする請求項１乃至３のいずれかに記載の振動篩装置。
【発明の詳細な説明】
【発明の属する技術分野】
本発明は、振動篩装置に関し、詳しくは、例えば試料としての生コンクリート、粉末状物のような被篩物を効率良くふるうことができる簡略、小型な構成の振動篩装置に関するものである。
【従来の技術】
従来、例えば試料としての生コンクリート等のような被篩物をふるうための振動篩装置が種々提案されている。
この種の従来の振動篩装置は、被篩物を収納する篩を保持する篩保持具と、この篩に振動を付与する振動体とが一体的構造のものがほとんどである。
従って、従来の振動篩装置の場合、振動する部分の慣性質量が大きくなってしまい、振動駆動源として大型のものを要し装置が大型化してしまうとともに、ふるい効率も良好ではなく、更に、連続的な振動（変位が連続的）を付与する構造のため、粘性の高い被篩物（例えば試料としての生コンクリート）の場合にはこの被篩物の分離効率が悪いという問題があった。
【発明が解決しようとする課題】
上述したようにこの種の従来の振動篩装置の場合、装置の小型化が難しく、被篩物に対するふるい効率の点でも十分なものではなかった。
本発明は、上記従来の事情に鑑みてなされたものであり、被篩物を効率良くふるうことができ、且つ、簡略、小型に構成することができる振動篩装置を提供することを目的とするものである。
【課題を解決するための手段】
請求項１記載の発明の振動篩装置は、基台上に支持された被篩物を収納する篩体と、前記篩体に対する振動付与、振動解除の操作を行う振動付与操作部と、前記基台により支持されるとともに、前記振動付与操作部の操作に連動して下降又は上昇して前記篩体に接触又は離脱し、下降位置での前記篩体との接触状態において篩体に断続的な振動力を付与する振動付与機構部とを具備し、前記篩体と振動付与機構部とを一体的に固定せずに、篩体と振動付与機構部とを所定の圧力で接触させるようにした構成であるので、当該振動付与機構部でもって断続的に細かくたたくような振動を篩体に与えることができることから、被篩物を効率良くふるうことができるようにしたことを特徴とするものである。
この発明によれば、前記振動付与操作部を操作し、振動付与機構部を下降させて下降位置で前記篩体と接触させ、この状態において基台上に支持された被篩物を収納する篩体に対して断続的な振動力を付与することで、前記被篩物を効率良くふるって分離させることができる。従って、本発明によれば、前記篩体と振動付与機構部とを一体的に固定せずに、篩体と振動付与機構部とを所定の圧力で接触させるようにした構成であるので、当該振動付与機構部でもって断続的に細かくたたくような振動を篩体に与えることができることから、被篩物を効率良くふるうことができる。
また、前記振動付与操作部を操作し、振動付与機構部を上昇させることにより篩体から簡単に分離させることができる。
このように振動付与機構部と篩体とが分離構造であるため、振動する部分の慣性質量は小さく済み、これにより、装置構成を小型簡略にすることができる。
請求項２記載の発明は、請求項１記載の振動篩装置において、前記振動付与機構部は、前記基台に対して上下動可能に支持され、その自重により前記下降位置において前記被篩物を収納する篩体に接触圧を付与することを特徴とするものである。
この発明によれば、前記振動付与機構部は、前記基台に対して上下動可能に支持され、その自重により前記下降位置において前記被篩物を収納する篩体に接触圧を付与するものであるから、振動付与機構部を篩体に接触させるための格別の機構が不要となり、これにより、装置構成の小型簡略化、低価格化が可能となる。
請求項３記載の発明は、請求項１又は２記載の振動篩装置において、前記振動付与機構部は、前記被篩物を収納する篩体に接触させる振動体と、この振動体を振動させる電源内蔵型の振動駆動源と、振動体と篩体との接触による騒音を防止する弾性体とを備えていることを特徴とするものである。
この発明によれば、前記振動体を振動させる電源内蔵型の振動駆動源を備えているので、この振動篩装置を外部電源不要の自立型として構成でき、装置構成の小型簡略化が可能となる。また、前記振動体と篩体との接触による騒音を防止する弾性体を備えているので、騒音防止の点からも有効な振動篩装置を提供できる。
請求項４記載の発明は、請求項１乃至３のいずれかに記載の振動篩装置において、前記被篩物は、生コンクリートであることを特徴とするものである。
この発明によれば、被篩物が、粘性の大きい例えば試料としての生コンクリートである場合において、この生コンクリートの成分を効率良くふるって分離をさせることができる振動篩装置を提供できる。
【発明の実施の形態】
以下に、本発明の実施の形態に係る振動篩装置について詳細に説明する。
図１は、本発明の実施の形態の振動篩装置の概略正面図、図２は本発明の実施の形態の振動篩装置の一部の概略側面図、図３は本発明の実施の形態の振動篩装置の一部の概略平面図である。
本発明の実施の形態の振動篩装置は、図１乃至図３に示すように、基台１上に支持された被篩物を収納する篩体３０と、前記篩体３０に対する振動付与、振動解除の手動操作（又はモータ等による駆動操作）を行う振動付与操作部２と、前記基台１により支持されるとともに、前記振動付与操作部２の手動操作（又はモータ等による駆動操作）に連動して下降又は上昇して前記篩体３０に接触又は離脱し、下降位置での前記篩体３０との接触状態において篩体３０に断続的な振動力を付与する振動付与機構部３とを有している。従って、本発明の実施の形態の振動篩装置は、前記篩体３０と振動付与機構部３とは一体的に固定されておらず、篩体３０と振動付与機構部３とを所定の圧力で接触させるようにした構成であるので、当該振動付与機構部３でもって断続的に細かくたたくような振動を篩体３０に与えることができることから、例えば試料としての生コンクリートのような被篩物を効率良くふるうことができる。
なお、前記したように、篩体３０に対する振動付与、振動解除は、振動付与操作部２を手動操作で行なう他、モータ等による駆動操作で行うように構成しても良いことは勿論である。
前記基台１は、ほぼＵ状を呈する底枠部１１と、この底枠部１１の２箇所の隅部（角部）から上方に向けて立ち上げた一対の立ち上げ枠１２と、一対の立ち上げ枠１２の上部間に架設した横枠部１３とを有している。底枠部１１の底面側には各隅部に合計４箇所の防振用の防振ゴム体１４をねじ止めにより取り付けて各々床面Ｆと接触させている。
更に、前記底枠部１１における前記一対の立ち上げ枠１２の間の領域には、床面Ｆと接触させる一対のキャスタ１５を取り付け、この振動篩装置の運搬の便宜を図るようにしている。
前記底枠部１１を構成する一対の各枠片１１ａ、１１ｂに対して、片側２箇所、合計４箇所の騒音防止用の弾性体であるバネ体１６をボルト、ナットを用いて取り付け、各バネ体１６により平板状の篩保持具１７を水平配置に支持している。
前記篩保持具１７の中央部には、円形の孔１８が穿設され、例えば試料としての生コンクリートのような被篩物を収納する所定寸法の篩目をもった篩体３０を隙間を有する状態で、かつ、着脱可能な状態で支持している。
前記篩体３０の下側には、篩体３０から落下する被篩物の成分を収納する上部が開口した受皿１９が配置されている。
前記篩体３０に対する振動付与、振動解除の手動操作（又はモータ等による駆動操作）を行う振動付与操作部２は、前記横枠部１３に取り付けた回動軸部２１により図２に示す矢印Ａ，Ｂ方向に回動可能に支持された回動体２２と、この回動体２２と一体化した状態で下方に垂下した操作レバー２３と、操作レバー２３の突出端に取り付けた操作つまみ２４と、前記回動軸部２１よりも下側の横枠部１３に取り付けた前記操作レバー２３が当接するストッパ突出体２５とを有している。
前記振動付与機構部３は、前記横枠部１３から上方に向けて立ち上げた一対の案内支柱３１に対して上下動可能に嵌装した上下動体３２と、この上下動体３２に一体的に取り付けた振動付与本体部３３とを備えている。
前記一対の案内支柱３１の上端部には、ボルト３４が埋め込まれ、更にこのボルト３４が貫通する止板３５が配置され、止板３５から上方に突出するボルト３４に蝶ナット３６が螺合されて、前記止板３５、蝶ナット３６を除去することにより、前記上下動体３２を一対の案内支柱３１の上方に取り外すことが可能となっている。
前記振動付与本体部３３は、蓄電池を内蔵する蓄電池収納部４１、電源スイッチ４２を取り付け、駆動モータ４３を内蔵した枠体部４４を備え、これらにより電源内蔵型の振動駆動源を構成している。
更に、前記枠体部４４の下側にはゴム材等の騒音防止用の円柱状の弾性体４５を介して塊状の振動体４６を配置し、前記駆動モータ４３による駆動により振動体４６を断続的に振動させ、前記篩体３０との接触により篩体３０に篩動作を起こさせるようになっている。
上述した振動付与機構部３の構成により、前記振動付与本体部３３の自重によって振動体４６の下降位置において前記篩体３０に接触圧を付与するようになっいている。この場合、前述したように、本発明の実施の形態の振動篩装置は、前記篩体３０と振動付与機構部３とは一体的に固定されておらず、篩体３０と振動付与機構部３とを所定の圧力で接触させるようにした構成であるので、当該振動付与機構部３でもって断続的に細かくたたくような振動を篩体３０に与えることができることから、例えば試料としての生コンクリートのような被篩物を効率良くふるうことができる。
次に、本実施の形態の振動篩装置の動作について説明する。
まず、前記篩体３０を篩保持具１７上に前記円形の孔１８の内周面と隙間をもった状態で配置し、この篩体３０に例えば試料としての生コンクリートを投入する。
次に、前記操作レバー２３を矢印Ａ方向に約９０度回転させることにより、上下動体３２、振動付与本体部３３を矢印ａ方向に下降させ、振動体４６の下端を前記篩体３０の上端に接触させる。
この状態で、電源スイッチ４２をオンにし、駆動モータ４３の駆動力により前記振動体４６を篩保持具１７上で振動させる。
この結果、例えば試料としての生コンクリートの成分である粗骨材（砂利）を篩体３０上に残留させ、生コンクリートの他の成分であるモルタルを容易に篩体３０の篩目から下方に配置した受皿１９内に落下させることができる。
このような例えば試料としての生コンクリートの篩分け動作終了後、前記操作レバー２３を矢印Ｂ方向に約９０度回動させ、振動付与本体部３３を矢印ｂ方向に上昇させて振動体４６を前記篩体３０の上方に離脱させる。
この後、篩体３０を篩保持具１７から取り外し、粗骨材を除去した後篩体３０を水等で洗浄し、清浄にして以降の篩作業に備える。
上述した本実施の形態の振動篩装置によれば、例えば試料としての生コンクリートのような被篩物を簡略な機構の基に、簡略な手動操作（又はモータ等による駆動操作）によって効率良くふるって分離させることができる。そして、前記振動付与機構部３３と篩体３０とが分離構造であるため、振動する部分の慣性質量は小さく済み、これにより、装置構成を小型簡略にすることができる。
また、振動付与機構部３３の振動体４６を篩体３０に接触させるための格別の機構が不要となり、これにより、装置構成の小型簡略化、低価格化が可能となる。
更に、振動付与機構部３３は、騒音防止用の円柱状の弾性体４５を介して支持されており、また、前記底枠部１１に取り付けた各バネ体１６により前記篩保持具１７を支持する構造であることから、篩保持具１７に支持された前記篩体３０の振動時の騒音減少を図ることができる。
なお、篩保持具１７の孔１８の内周部と前記篩体３０との間に防振ゴム等の部材を付加すれば、より騒音減少を図ることが可能となる。
また、前記基台１は防振用の防振ゴム体１４を備えているので、この振動篩装置自体の振動を防止し、周辺環境への悪影響を回避できる。
また、本実施の形態の振動篩装置によれば、前記振動体４６を振動させる蓄電池を内蔵する蓄電池収納部４１、駆動モータ４３を備えているので、この振動篩装置を外部電源不要の自立型として構成でき、装置構成の小型簡略化が可能となる。
なお、本発明の振動篩装置は、上述した例えば試料としての生コンクリートに適用する他、粉末状食材、粉末状薬剤等の篩作業にも適用可能である。
【発明の効果】
請求項１記載の発明によれば、前記篩体と振動付与機構部とを一体的に固定せずに、篩体と振動付与機構部とを所定の圧力で接触させるようにした構成であるので、当該振動付与機構部でもって断続的に細かくたたくような振動を篩体に与えることができることから、被篩物を効率良くふるうことができ、簡略な手動操作（又はモータ等による駆動操作）で被篩物を効率良くふるって分離させることができ、また、振動する部分の慣性質量は小さく済み、これにより、装置構成を小型簡略にすることができる振動篩装置を提供できる。
請求項２記載の発明によれば、前記請求項１記載の効果に加えて、振動付与機構部を篩体に接触させるための格別の機構が不要となり、これにより、装置構成の小型簡略化、低価格化が可能な振動篩装置を提供できる。
請求項３記載の発明によれば、前記請求項１又は２記載の効果に加えて、外部電源不要の自立型として構成できるとともに、騒音防止の点からも有効な振動篩装置を提供できる。
請求項４記載の発明によれば、前記請求項１乃至３のいずれか１項に記載の効果に加えて、被篩物が、粘性の大きい例えば試料としての生コンクリートである場合において、この生コンクリートの成分を効率良くふるって分離をさせることができる振動篩装置を提供できる。
【図面の簡単な説明】
【図１】本発明の実施の形態の振動篩装置の概略正面図である。
【図２】本発明の実施の形態の振動篩装置の一部の概略側面図である。
【図３】本発明の実施の形態の振動篩装置の一部の概略平面図である。
【符号の説明】
１    基台
２    振動付与操作部
３    振動付与機構部
１１    底枠部
１１ａ  枠片
１１ｂ  枠片
１２    立ち上げ枠
１３    横枠部
１４    防振ゴム体
１５    キャスタ
１６    バネ体
１７    篩保持具
１８    孔
１９    受皿
２１    回動軸部
２２    回動体
２３    操作レバー
２４    操作つまみ
２５    ストッパ突出体
３０    篩体
３１    案内支柱
３２    上下動体
３３    振動付与本体部
３４    ボルト
３５    止板
３６    蝶ナット
４１    蓄電池収納部
４２    電源スイッチ
４３    駆動モータ
４４    枠体部
４５    弾性体
４６    振動体
【図１】
0004548919.tif 000002
【図２】
0004548919.tif 000003
【図３】
0004548919.tif 000004